【事件の表示】
　特願２０００−　７８０５４「インバータ装置」拒絶査定不服審判事件〔平成１３年　９月２８日出願公開、特開２００１−２６８９８８〕について、次のとおり審決する。
【結　論】
　本件審判の請求は、成り立たない。
【理　由】
１．手続の経緯
　本願は、平成１２年３月２１日の出願であって、平成１７年３月３１日付で拒絶査定がなされ、これに対し、同年５月２日に拒絶査定に対する審判請求がなされるとともに、同年５月２７日付で手続補正がなされたものである。
　
２．平成１７年５月２７日付の手続補正についての補正却下の決定
［補正却下の決定の結論］
　　平成１７年５月２７日付の手続補正を却下する。
［理由］
（１）補正後の本願発明
　本件補正により、特許請求の範囲の請求項１は、
　「予め設定されたパターン周波数、パターン運転時間などのパラメータより成るパターン設定データ並びにこのパターン設定データに基づいた実際の運転進行状態などを示すパターン制御データを記憶するための揮発性メモリを備え、当該パターン設定データ及びパターン制御データに基づいて電動機の可変速制御を行うというパターン運転をシーケンシャルに実行する制御部を備えたインバータ装置において、
　電源電圧が設定レベル未満となった不足電圧状態を検出可能な電圧検出手段と、
　データ書き換え可能な不揮発性メモリとを備え、
　前記制御部には、前記パターン運転中に前記電圧検出手段が不足電圧検出状態となったときに、前記揮発性メモリ中の記憶データのうちパターン運転の続行に必要なデータ
として、少なくとも当該パターン運転で使用中のパターン周波数とパターン運転経過時間若しくはそのパターンでの残り運転時間とを含むパターン制御データ
、
　
前記制御部は、前記電圧検出手段による不足電圧検出状態が解除された後に前記揮発性メモリに復帰記憶された退避データに基づいて残りのパターン運転を実行す
と補正された。
　上記補正は、請求項１に記載した発明を特定するために必要な事項である「パターン運転の続行に必要なデータ」について「少なくとも当該パターン運転で使用中のパターン周波数とパターン運転経過時間若しくはそのパターンでの残り運転時間とを含む」との限定を付加し、同じく「制御部」について「電圧検出手段による不足電圧検出状態が解除された後に前記揮発性メモリに復帰記憶された退避データに基づいて残りのパターン運転を実行する」との限定を付加するものであって、特許法第１７条の２第４項第２号の特許請求の範囲の減縮を目的とするものに該当する。
　そこで、本件補正後の前記請求項１に記載された発明（以下「本件補正発明」という。）が特許出願の際独立して特許を受けることができるものであるか（特許法第１７条の２第５項において準用する同法第１２６条第４項の規定に適合するか）について以下に検討する。
　
（２）引用文献
　原査定の拒絶の理由に引用された特開平４−３４４１９１号公報（以下「引用文献」という。）には、図面とともに次の事項が記載されている。
（２−１）「【特許請求の範囲】
　【請求項１】　電動機を駆動するインバータ回路と、このインバータ回路を制御するインバータ制御手段と、このインバータ制御手段の複数の運転パターンや制御条件のデータを設定するデータ設定手段と、このデータ設定手段により設定された条件のデータ及び現在の運転状況を表示する表示手段と、前記データ設定手段により設定された複数の運転パターン等を記憶する記憶手段と、この記憶手段に記憶された複数の運転パターンの１つを選択し、運転を開始する選択手段とを具備したことを特徴とするインバータ装置。」
（２−２）「【０００１】
　【産業上の利用分野】本発明は、電動機の可変速制御を行なうインバータ装置に関する。」
（２−３）「【０００６】
　【作用】このように構成された本発明のインバータ装置においては、パターン設定手段により設定された複数の運転パターンの周波数と時間データは、記憶手段に記憶し、インバータ装置は、外部からの信号入力に従い、記憶手段に記憶した複数のパターンから１つのパターンを選択し、選択したパターンを記憶手段より読出し、シーケンス運転用データにセットし、外部からの運転信号に従い、運転パターンのシーケンスに従い、運転を開始し、停止信号に従い停止する。」
（２−４）「【０００９】更に、制御回路５は、ＲＡＭ７を内蔵したＣＰＵ８と、不揮発性メモリ９、バッファ１０，１１、端子台１２、コネクタ１３、ベースドライブ回路１４とから構成されている。なお、端子台１２は、運転停止用端子Ｆ、パターン選択用端子ＳＳ１，ＳＳ２，ＳＳ３等を有している。また、設定表示回路６はＲＡＭ１５を内蔵したＣＰＵ１６と、データ及び運転状況を表示する表示ＬＥＤ１７、設定操作用のキーマトリックス１８、表示ＬＥＤ１７を駆動するドライバー１９，２０、伝送データ波形を成形するバッファ２１とから構成されている。なお、インバータ回路４には、制御回路５及び設定表示回路６のＣＰＵ８，１６へ電力を供給する電源回路２２を有している。」
（２−５）「【００１０】このように……初期化をはかる。この初期化後、不揮発性メモリ９に記憶されている制御条件データを読みだし、内蔵ＲＡＭ７に書き込む。」
　
　以上の記載と図面の記載によれば引用文献には、次の事項からなる発明が記載されている。（以下「引用発明」という。）
「設定された複数の運転パターンの周波数と時間データより成るパターン設定データ並びにこのパターン設定データに基づいた現在の運転状況を示す制御条件のデータを記憶するためのＲＡＭ（７）を備え、当該パターン設定データ及び制御条件のデータに基づいて電動機の可変速制御を行うというパターン運転をシーケンシャルに実行する制御部を備えたインバータ装置において、
　不揮発性メモリ（９）を備えるインバータ装置。」
　
（３）対比
　本件補正発明と引用発明とを対比すると、後者の「設定された複数の運転パターンの周波数と時間データより成るパターン設定データ」は前者の「予め設定されたパターン周波数、パターン運転時間などのパラメータより成るパターン設定データ」に相当し、以下同様に「パターン設定データに基づいた現在の運転状況を示す制御条件のデータ」は「パターン設定データに基づいた実際の運転進行状態などを示すパターン制御データ」に、「ＲＡＭ（７）」は「揮発性メモリ」に相当するので両者は
［一致点］
「予め設定されたパターン周波数、パターン運転時間などのパラメータより成るパターン設定データ並びにこのパターン設定データに基づいた実際の運転進行状態などを示すパターン制御データを記憶するためのメモリを備え、当該パターン設定データ及びパターン制御データに基づいて電動機の可変速制御を行うというパターン運転をシーケンシャルに実行する制御部を備えたインバータ装置において、
　不揮発性メモリを備えることを特徴とするインバータ装置。」である点で一致し
［相違点］
（イ）本件補正発明では、「メモリ」が「揮発性メモリ」であるのに対して引用発明では「ＲＡＭ」である点、
（ロ）本件補正発明では、「電源電圧が設定レベル未満となった不足電圧状態を検出可能な電圧検出手段」を有するのに対して、引用発明では、このような構成を有していない点および
（ハ）本件補正発明では、「不揮発性メモリ」として書き換え可能なものを用い、「制御部には、パターン運転中に電圧検出手段が不足電圧検出状態となったときに、揮発性メモリ中の記憶データのうちパターン運転の続行に必要なデータとして、少なくとも当該パターン運転で使用中のパターン周波数とパターン運転経過時間若しくはそのパターンでの残り運転時間とを含むパターン制御データを前記不揮発性メモリに記憶することで退避させ、その後に前記電圧検出手段による不足電圧検出状態が解除されたときに前記不揮発性メモリに記憶した退避データを読み出して前記揮発性メモリに復帰記憶させるパターン運転記憶手段が設けられる」のに対して、引用発明では、その様な構成を有していない点で相違している。
　
（４）相違点に対する判断
（イ）について
　一時的にデータを記憶させるメモリとして揮発性メモリは周知であり、メモリの種類は必要に応じて適宜設計し得る事項と認められる。
（ロ）および（ハ）について
　プログラム制御装置のように、予め定められたパターンにしたがって制御される装置において、「電源電圧が設定レベル未満となった不足電圧状態を検出可能な電圧検出手段」を設け、プログラム運転中に前記電圧検出手段が不足電圧検出状態となったときに、プログラム運転の続行に必要なデータをメモリに記憶することで退避させ、その後に前記電圧検出手段による不足電圧検出状態が解除されたときに前記メモリに記憶した退避データを読み出してプログラム運転を続行できるようにすることは、周知の事項（特開平５−３８６３０号公報には、「停電検出手段による停電検出時に停電が発生する直前の機械の現状がセーブされるメモリと；停電回復後において、前記メモリにセーブされた加工プログラムの内容から……停電が発生する直前の機械座標位置を前記加工プログラムから読み込み手段と、……前記メモリにセーブされた内容を復帰し、前記加工プログラムを続行させる」（特許請求の範囲の請求項１）および「自動停電復帰は加工中に停電が発生し加工が中断した場合でも、停電が回復したときには、自動的に停電発生直前の状態に戻して加工を続行する」（段落０００３）と記載されている。また、特開平４−２０５００５号公報には、「停電を検出するセンサが停電を検出したとき、……制御状態の状態情報を記憶すると共に……停電復旧を検出したとき、前記状態情報記憶手段が記憶した状態情報を参照して前記ＮＣ工作機械を停電復旧後に続けて稼働させるべく……工作中断状態を記憶する工作中断状態記憶手段と、を備えた……」（特許請求の範囲の請求項１）と記載されている。）であり、停電時のデータ記憶保持のためには、記憶装置としてデータ書き換え可能な不揮発性メモリを用いることも自明の事項であり、引用発明においては、上記「プログラム運転の続行に必要なデータ」あるいは「制御状態の状態情報」に相当する構成である、メモリに待避させるべきデータが、パターン運転の続行に必要な、少なくとも当該パターン運転で使用中のパターン周波数とパターン運転経過時間若しくはそのパターンでの残り運転時間とを含むパターン制御データであることは明らかであるから、引用発明において、これら周知の事項を用いて相違点（ロ）、（ハ）に係る本願補正発明の構成とすることは当業者が容易になし得たことと認められる。
　また、本件補正発明の奏する効果は、引用文献に記載された発明及び上記周知の事項から予測しうる程度のものと認められる。
　したがって、本件補正発明は、引用文献および上記周知の事項に基づいて当業者が容易に発明をすることができたものと認められるので特許法第２９条第２項の規定により特許出願の際独立して特許を受けることができないものである。
　
（５）むすび
　以上のとおり、本件補正は、特許法第１７条の２第５項で準用する同法第１２６条第５項の規定に違反するものであり、特許法第１５９条第１項で準用する特許法第５３条第１項の規定により却下されるべきものである。
　
３．本願発明について
　平成１７年５月２７日付の手続補正は上記のとおり却下されたので、本願の請求項１に係る発明（以下、同項記載の発明を「本願発明」という。）は、出願当初の特許請求の範囲の請求項１に記載された事項により特定される、以下のとおりのものである。
「予め設定されたパターン周波数、パターン運転時間などのパラメータより成るパターン設定データ並びにこのパターン設定データに基づいた実際の運転進行状態などを示すパターン制御データを記憶するための揮発性メモリを備え、当該パターン設定データ及びパターン制御データに基づいて電動機の可変速制御を行うというパターン運転をシーケンシャルに実行する制御部を備えたインバータ装置において、
　電源電圧が設定レベル未満となった不足電圧状態を検出可能な電圧検出手段と、
　データ書き換え可能な不揮発性メモリとを備え、
　前記制御部には、前記パターン運転中に前記電圧検出手段が不足電圧検出状態となったときに、前記揮発性メモリ中の記憶データのうちパターン運転の続行に必要なデータを前記不揮発性メモリに記憶することで退避させ、その後に前記電圧検出手段による不足電圧検出状態が解除されたときに前記不揮発性メモリに記憶した退避データを読み出して前記揮発性メモリに復帰記憶させるパターン運転記憶手段が設けられることを特徴とするインバータ装置。」
　
（１）引用文献
　原査定の拒絶の理由に引用された引用文献及びその記載は、前記「２．（２）」に記載したとおりである。
　
（２）対比・判断
　本願発明は、上記したとおりであって、前記２．で検討した本件補正発明から「パターン運転の続行に必要なデータ」について「少なくとも当該パターン運転で使用中のパターン周波数とパターン運転経過時間若しくはそのパターンでの残り運転時間とを含む」との点を、同じく「制御部」について「電圧検出手段による不足電圧検出状態が解除された後に前記揮発性メモリに復帰記憶された退避データに基づいて残りのパターン運転を実行する」との点を省いたものである。
　そうすると、本願発明の構成要件を全て含み、さらに他の構成要件を付加したものに相当する本件補正発明が、前記「２．（４）」に記載したとおり、引用文献に記載された発明および周知の事項に基づいて、当業者が容易に発明をすることができたものであるから、本願発明も、同様の理由により、引用文献に記載された発明および周知の事項に基づいて、当業者が容易に発明をすることができたものである。
　
４．むすび
　以上のとおりであるから、本願請求項１に係る発明は、引用文献に記載された発明および周知の事項に基づいて、当業者が容易に発明をすることができたものであるから、特許法第２９条第２項の規定により特許を受けることができない。
　よって、結論のとおり審決する。